(57)【要約】【課題】利便性を担保しつつ、利用者毎に実行可能な操作を限定することが可能な車両用生体認証装置を提供すること。【解決手段】この車両用生体認証装置は、照合用の生体情報と、前記照合用の生体情報を有する個人に許可する車両の操作を表す操作許可情報とを記憶する記憶部と、利用者の生体情報を取得する生体情報取得部と、取得された生体情報と、前記記憶部に記憶された照合用の生体情報とを照合して、利用者を識別する識別部と、前記操作許可情報を参照して、識別された利用者に許可する車両の操作を操作可能な状態にする操作許可部とを含む。【選択図】図１
2012153246.tif 000002
【特許請求の範囲】
【請求項１】
利用者の生体情報を取得する生体情報取得部と、
照合用の生体情報と、前記照合用の生体情報を有する個人に許可する車両の操作を表す操作許可情報とを関連付けて記憶する記憶部と、
取得された生体情報と、前記照合用の生体情報とを照合して、前記利用者を識別する識別部と、
識別された利用者に対応する照合用の生体情報に関連付けられている操作許可情報を参照して、前記識別された利用者に許可する車両の操作を操作可能な状態にする操作許可部とを含む、車両用生体認証装置。
【請求項２】
請求項１において、
前記記憶部は、複数の照合用の生体情報と操作許可情報とを関連付けて記憶し、
前記識別部は、複数の利用者を識別し、
前記操作許可部は、識別された複数の利用者のうち、いずれかの利用者に許可する車両の操作を操作可能な状態にする、車両用生体認証装置。
【請求項３】
請求項１又は２において、さらに、
所定の操作が行われた場合に、前記操作可能な状態を解除する解除部、
を含む、車両用生態認証装置。
【請求項４】
請求項１乃至３のいずれかにおいて、
前記車両の操作は、前記車両を開錠する操作、前記車両の原動機始動の操作、及び前記車両を加速させる操作の少なくとも１つである、車両用生体認証装置。
【請求項５】
利用者の生体情報を取得する生体情報取得部と、
照合用の生体情報と、前記照合用の生体情報を有する個人に許可する車両の操作を表す操作許可情報とを関連付けて記憶する記憶媒体を用いて、取得された生体情報と、前記照合用の生体情報とを照合し、前記利用者を識別する識別部と、
識別された利用者に対応する照合用の生体情報に関連付けられている操作許可情報を参照して、前記識別された利用者に許可する車両の操作を操作可能な状態にする操作許可部とを含む、車両用生体認証装置。
【発明の詳細な説明】
【技術分野】
【０００１】
本発明は、車両用生体認証装置に関する。
【背景技術】
【０００２】
従来から、予め登録された利用者の生体情報（指紋、静脈パターン）と、検出された生体情報とを比較し、それらが一致したときに、自動車のドアロックの解除やエンジン始動を許可する自動車の利用者認証システムが知られている（例えば、特許文献１）。
【先行技術文献】
【特許文献】
【０００３】
【特許文献１】特開２００３−１８２５２８号公報
【発明の概要】
【発明が解決しようとする課題】
【０００４】
生体認証を用いて自動車の操作を行う場合、運転者のみを登録すると、登録していない同乗者はドアロックを解除することができない。一方、自動車に乗る可能性のある全ての利用者を登録すると、運転を許可しない子供なども運転操作を行うことができ、安全性に問題がある。また、上記の自動車の利用者認証システムでは、ドアロックの解除やエンジン始動といった操作を行う度に認証を行う必要があり認証手順が煩雑になる。
【０００５】
本発明はこのような問題点に鑑みてなされたものである。本発明のいくつかの態様によれば、利便性を担保しつつ、利用者毎に実行可能な操作を限定することが可能な車両用生体認証装置を提供することができる。
【課題を解決するための手段】
【０００６】
（１）本形態に係る車両用生体認証装置は、利用者の生体情報を取得する生体情報取得部と、照合用の生体情報と、前記照合用の生体情報を有する個人に許可する車両の操作を表す操作許可情報とを関連付けて記憶する記憶部と、取得された生体情報と、前記照合用の生体情報とを照合して、前記利用者を識別する識別部と、識別された利用者に対応する照合用の生体情報に関連付けられている操作許可情報を参照して、前記識別された利用者に許可する車両の操作を操作可能な状態にする操作許可部とを含む。
【０００７】
本形態によれば、利用者の生体情報とともに、利用者に許可する操作を表す情報を予め記憶しておき、識別された利用者に許可する車両の操作について操作可能な状態にすることで、識別された利用者に許可する車両の操作を制限なく実行させることができ、また、車両の運転操作などの特定の操作を実行できる利用者を限定することができる。
【０００８】
（２）この車両用生体認証装置は、前記記憶部は、複数の照合用の生体情報と操作許可情報とを関連付けて記憶し、前記識別部は、複数の利用者を識別し、前記操作許可部は、識別された複数の利用者のうち、いずれかの利用者に許可する車両の操作を操作可能な状態にしてもよい。
【０００９】
本形態によれば、識別されたいずれかの利用者に許可する操作について操作可能な状態にすることで、利便性を向上させることができる。
【００１０】
（３）この車両用生体認証装置は、所定の操作が行われた場合に、前記操作可能な状態を解除する解除部を更に含んでもよい。
【００１１】
本形態によれば、所定の操作が行われるまでは、前記操作可能な状態を維持することができるため、操作を行う度に識別を行う必要がなく利便性を向上させることができる。
【００１２】
（４）この車両用生体認証装置は、前記車両の操作は、前記車両を開錠する操作、前記車両の原動機始動の操作、及び前記車両を加速させる操作の少なくとも１つであってもよい。
【００１３】
（５）本形態に係る車両用生体認証装置は、利用者の生体情報を取得する生体情報取得部と、照合用の生体情報と、前記照合用の生体情報を有する個人に許可する車両の操作を表す操作許可情報とを関連付けて記憶する記憶媒体を用いて、取得された生体情報と、前記照合用の生体情報とを照合し、前記利用者を識別する識別部と、識別された利用者に対応する照合用の生体情報に関連付けられている操作許可情報を参照して、前記識別された利用者に許可する車両の操作を操作可能な状態にする操作許可部とを含む。
【００１４】
本形態によれば、利用者の生体情報とともに、利用者に許可する操作を表す情報を予め記憶媒体に記憶しておき、識別された利用者に許可する車両の操作について操作可能な状態にすることで、識別された利用者に許可する車両の操作を制限なく実行させることができ、また、車両の運転操作などの特定の操作を実行できる利用者を限定することができる。
【図面の簡単な説明】
【００１５】
【図１】本実施形態に係る生体認証装置の機能ブロック図の一例を示す図。
【図２】登録処理の一例を示すフローチャート図。
【図３】記憶部に記憶された静脈パターンの一例を示す図。
【図４】記憶部に記憶された操作許可情報の一例を示す図。
【図５】認証処理の一例を示すフローチャート図。
【図６】操作許可フラグについて説明するための図。
【図７】識別後の処理の一例を示すフローチャート図。
【図８】解除処理の一例を示すフローチャート図。
【発明を実施するための形態】
【００１６】
以下、図面に基づき、本発明の実施形態を説明する。
【００１７】
１．構成
図１に、本実施形態に係る生体認証装置（車両用生体認証装置）の機能ブロック図の一例を示す。なお本実施形態の生体認証装置は図１の構成要素（各部）の一部を省略した構成としてもよい。
【００１８】
図１に示す生体認証装置１は、生体情報取得部１０、処理部２０、記憶部３０を含む。
【００１９】
生体情報取得部１０は、利用者の生体情報（例えば、利用者の静脈パターン、指紋、虹彩画像、顔画像）を取得するものであり、その機能は、利用者の静脈パターンを検出する静脈センサー、利用者の指紋を検出する指紋センサー、利用者の虹彩画像或いは顔画像を取得するイメージセンサーなどにより実現できる。
【００２０】
記憶部３０は、照合用の生体情報と、前記照合用の生体情報を有する個人に許可する自動車の操作（例えば、ドアロックの操作、エンジン始動の操作、アクセル操作、利用者の登録操作）を表す操作許可情報とを関連付けて登録データとして記憶する。なお、記憶部３０は、複数の照合用の生体情報と操作許可情報とを関連付けて記憶する。また、記憶部３０には、本実施形態の各部としてコンピュータを機能させるためのプログラムが記憶される。記憶部３０の機能は、ＲＯＭなどの不揮発性メモリー、ＲＡＭ、ハードディスクなどにより実現できる。
【００２１】
処理部２０は、記憶部３０をワーク領域として、生体情報の特徴量を抽出する処理、照合用の生体情報及び操作許可情報とを登録する処理、認証処理、操作許可処理などの処理を行う。処理部２０の機能はＣＰＵなどのプロセッサーや、プログラムにより実現できる。
【００２２】
処理部２０は、特徴抽出部２２、識別部２４、操作許可部２６、解除部２７、登録部２８を含む。
【００２３】
特徴抽出部２２は、生体情報取得部１０によって取得された生体情報の特徴量を抽出する処理を行う。例えば、生体情報として画像データを取得した場合には、画像データに対してエッジ強調フィルター等を用いて畳み込み演算を行うことで特徴量を抽出してもよいし、画像データを複数のブロックに分割し、各ブロックの輝度値の平均値と分散値を特徴量として抽出してもよい。
【００２４】
識別部２４は、生体情報取得部１０によって取得された生体情報（又は、生体情報から抽出された特徴量）と、記憶部３０に記憶された照合用の生体情報（又は、生体情報から抽出された特徴量）とを照合することで、利用者を識別する処理を行う。例えば、識別部２４は、生体情報取得部１０によって取得された生体情報と記憶部３０に記憶された照合用の生体情報の差分を算出し、算出した差分の絶対値が所定の閾値よりも小さい場合に両生体情報が一致すると判断して、利用者を識別してもよい。なお、識別部２４は、複数の利用者を識別する処理を行う。
【００２５】
操作許可部２６は、識別部２４での識別が成功した場合に、識別された利用者に対応する照合用の生体情報に関連付けられている操作許可情報（記憶部３０に記憶された操作許可情報）を参照して、識別された利用者に許可する自動車の操作を特定し、特定した操作を操作可能な状態にする処理を行う。
【００２６】
例えば、操作許可部２６は、操作可能状態にした操作がドアロック操作（車両を開錠する操作）である場合には、自動車に備わるドアロック機構４０に対してドアロックを解除するための制御信号を出力する。また、操作許可部２６は、操作可能状態にした操作がエンジン始動操作（車両の原動機始動の操作）である場合には、エンジン始動操作が行われたときに、自動車に備わるエンジン制御装置４２に対して、エンジンを始動するための制御信号を出力する。なお、自動車が電気自動車の場合はエンジン始動操作に替えてモーター始動操作であってもよい。この場合は、電気自動車に備わるモーター制御装置に対して、モーターを始動するための制御信号を出力することとなる。また、操作許可部２６は、操作可能状態にした操作がアクセル操作（車両を加速させる操作）である場合には、アクセル操作が行われたときに、エンジン制御装置４２に対してエンジンに動力源（燃料、或いは電力）を供給するための制御信号を出力する。なお、自動車が電気自動車の場合は、アクセル操作が行われたときに、電気自動車に備わるモーター制御装置に対して、電力を供給するための制御信号を出力することとなる。
【００２７】
また、操作許可部２６は、操作可能状態にした操作以外の操作が行われた場合には、ドアロック機構４０やエンジン制御装置４２に対して制御信号を出力しない。また、操作許可部２６は、操作可能状態にした操作以外の操作が行われた場合に、不正な操作が行われた旨の情報や当該操作が行われた時刻等を記憶部３０に記録してもよい。
【００２８】
また、操作許可部２６は、識別された利用者が複数人いる場合に、識別された複数の利用者のうち、いずれかの利用者に許可する自動車の操作を操作可能な状態にしてもよい。
【００２９】
解除部２７は、所定の操作（例えば、エンジンを停止する操作、又は登録を解除するための操作）が行われた場合に、前記操作可能な状態を解除する処理を行う。
【００３０】
登録部２８は、照合用の生体情報と、前記照合用の生体情報を有する利用者に許可する自動車の操作を表す操作許可情報と関連付けてを登録する処理を行う。すなわち、登録部２８は、生体情報取得部１０によって取得された利用者の生体情報（又は、生体情報から抽出された特徴量）と、前記操作許可情報とを記憶部３０に記憶させる処理を行う。前記操作許可情報の内容は、利用者による図示しない操作部への操作入力に基づき設定される。
【００３１】
２．動作
次に、本実施形態に係る生体認証装置１の動作について図面を用いて説明する。なお以下では、生体情報として静脈パターンを用いた場合について説明する。
【００３２】
２−１．登録処理
本実施形態では、利用者は、自動車の車内或いはドアノブに設けられた静脈センサー（生体情報取得部の一例）を用いて、登録対象となる利用者の静脈パターン（照合用の生体情報の一例）と操作許可情報とを登録することができる。
【００３３】
図２は、登録処理の一例を示すフローチャート図である。
【００３４】
まず、静脈センサーは、登録対象となる利用者の静脈画像を取得する（ステップＳ１０）。次に、特徴抽出部２２は、取得した静脈画像の特徴量を抽出して静脈パターンを取得する処理を行う（ステップＳ１２）。
【００３５】
次に、登録部２８は、操作部への操作入力に基づき、登録対象となる利用者に許可する操作内容を設定する（ステップＳ１４）。利用者は、静脈センサーの付近に設けられたボタンやタッチパネル等の操作部を用いて、登録対象となる利用者に許可する１又は複数の操作を指定する操作を行うことができる。
【００３６】
次に、登録部２８は、ステップＳ１２の処理で取得された照合用の静脈パターンと、ステップＳ１４の処理で設定された操作内容とを、記憶部３０に保存する処理を行う（ステップＳ１６）。
【００３７】
図３に示すように、記憶部３０には、各利用者の照合用の静脈パターンが記憶される。図３に示す例では、利用者ＩＤ「１」〜「３」の各利用者の静脈パターンが記憶されている。
【００３８】
また、図４（Ａ）に示すように、記憶部３０には、各利用者に許可する操作を特定するための操作許可情報が記憶される。図３に示す照合用の静脈パターンと図４（Ａ）に示す操作許可情報は、利用者ＩＤによって関連付けられている。
【００３９】
図４（Ａ）に示す例では、自動車の所有者であるＩＤ「１」の利用者には、全ての操作（ドアロック操作、エンジン始動操作、アクセル操作及びユーザ登録）が許可されている。また、所有者の配偶者であるＩＤ「２」の利用者には、ユーザ登録以外の全ての操作が許可されている。また、所有者の子供であるＩＤ「３」の利用者には、ドアロック操作とエンジン始動操作のみが許可されている。
【００４０】
また、登録時に利用者に許可する操作を個別に指定せずに、利用者に許可する操作を一括して指定するようにしてもよい。例えば、図４（Ｂ）に示すように、予め複数のグループを定義して、グループ毎に許可する操作を設定しておき、図４（Ｃ）に示すように、登録時に、登録対象となる利用者が所属するグループを指定するようにしてもよい。
【００４１】
２−２．認証処理
本実施形態では、登録された利用者は、自動車のドアノブに設けられた静脈センサーを用いて生体認証を行うことで、ドアロックを解除することができ、また、当該利用者に許可された操作について操作可能な状態にすることができる。
【００４２】
図５は、認証処理の一例を示すフローチャート図である。
【００４３】
まず、静脈センサーは、利用者の静脈画像を取得する（ステップＳ２０）。次に、特徴抽出部２２は、取得した静脈画像の特徴量を抽出して静脈パターンを取得する処理を行う（ステップＳ２２）。
【００４４】
次に、識別部２４は、取得された静脈パターンと、図３に示すような登録された照合用の静脈パターンとを照合し（ステップＳ２４）、登録された静脈パターンのうち、取得された静脈パターンと一致するものがあるか否かを判断する（ステップＳ２６）。ここで、取得された静脈パターンと登録された静脈パターンとの差分の絶対値が所定の閾値未満である場合に、両静脈パターンが一致すると判断してもよい。
【００４５】
ステップＳ２６において、一致すると判断された場合（ステップＳ２６：Ｙｅｓ）には、操作許可部２６は、操作許可情報を参照して（ステップＳ２８）、識別された利用者に許可された操作の操作許可フラグを「１」にして当該操作を操作可能な状態にする（ステップＳ３０）。次に、操作許可部２６は、ドアロック機構４０に制御信号を送信してドアロックを解除させる（ステップＳ３２）。一方、ステップＳ２６において、一致しないと判断された場合（ステップＳ２６：Ｎｏ）には、認証処理を終了する。
【００４６】
ここで、ステップＳ３０の処理において、例えば、操作許可情報が図４（Ａ）に示す状態である場合に、取得された静脈パターンが利用者ＩＤ「３」の静脈パターンと一致した場合には、図６（Ａ）に示すように、識別された利用者ＩＤの情報として利用者ＩＤ「３」を保持し、当該利用者ＩＤ「３」に許可された「ドアロック操作」と「エンジン始動操作」の操作許可フラグを「１」にしてこれらの操作を操作可能な状態にする。
【００４７】
また、図６（Ａ）に示す状態において、取得された静脈パターンが利用者ＩＤ「１」の静脈パターンと一致した場合には、図６（Ｂ）に示すように、識別された利用者ＩＤの情報として利用者ＩＤ「１」を追加し、当該利用者ＩＤ「１」に許可された全ての操作の操作許可フラグを「１」にする。その結果、「アクセル操作」と「ユーザ登録」の操作許可フラグが、「０」から「１」に変更され、これらの操作が操作可能な状態になる。すなわち、子供である利用者のみが識別された場合には、「アクセル操作」については操作可能な状態にはならず、所有者である利用者が識別された場合になって初めて、「アクセル操作」についても操作可能な状態となる。このように、運転を許可しない子供等の利用者が先に識別を行って自動車に乗車した場合であっても、運転者である利用者が識別を行って乗車するまでは、アクセル操作等の運転操作については操作不能な状態にすることができる。
【００４８】
図７は、識別後の処理の一例を示すフローチャート図である。
【００４９】
まず、操作許可部２６は、アクセル操作が行われたか否かを判断し（ステップＳ４０）、当該操作が行われたと判断した場合（ステップＳ４０：Ｙｅｓ）には、操作許可フラグを参照して（ステップＳ４２）、アクセル操作を許可するか否かを判断する（ステップＳ４４）。例えば、図６（Ａ）に示すように、アクセル操作の操作許可フラグが「０」である場合（ステップＳ４４：Ｎｏ）には許可せず、図６（Ｂ）に示すように、アクセル操作の操作許可フラグが「１」である場合（ステップＳ４４：Ｙｅｓ）には許可する。
【００５０】
ステップＳ４４において、アクセル操作を許可する場合（ステップＳ４４：Ｙｅｓ）には、操作許可部２６は、エンジン制御装置４２に対してエンジンに動力源を供給するための制御信号を出力する（ステップＳ４６）。一方、ステップＳ４０でアクセル操作が行われていないと判断した場合（ステップＳ４０：Ｎｏ）、及び、ステップＳ４４でアクセル操作を許可しない場合（ステップＳ４４：Ｎｏ）には、識別後の処理を終了する。
【００５１】
同様に、操作許可部２６は、エンジン始動操作（イグニッションＯＮにする操作）が行われた場合には、エンジン始動操作の操作許可フラグを参照して当該操作を許可するか否かを判断して、許可する場合には、エンジン制御装置４２に対して制御信号を出力してエンジンを始動させる。
【００５２】
このように、本実施形態によれば、利用者に許可する操作を特定するための操作許可情報に基づき、識別された利用者に許可された操作のみを操作可能な状態にすることで、エンジン始動操作やアクセル操作等の特定の操作を実行できる利用者を限定することができ、安全性を確保することができる。また、識別後、操作許可フラグを用いてエンジン始動操作やアクセル操作等の操作可能状態を維持することで、エンジン始動操作やアクセル操作等を行う度に識別を行う必要がなくなるため、利便性を向上させることができる。すなわち本実施形態によれば、利便性と安全性を両立させた車両用生体認証装置を提供することができる。
【００５３】
２−３．解除処理
本実施形態では、利用者はエンジン停止操作（イグニッションＯＦＦにする操作）やボタン操作等の所定の操作を行うことで、全ての操作について操作可能な状態を解除することができる。例えば、解除部２７は、エンジン停止操作が行われてから一定時間経過した場合に、全ての操作の操作許可フラグを「０」にする処理を行う。
【００５４】
また、本実施形態では、識別済みの利用者は、自動車の車内やドアノブに設けられた静脈センサーを用いて生体認証を行うことで、自身に許可された操作について個別に操作可能な状態を解除することができる。
【００５５】
図８は、解除処理の一例を示すフローチャート図である。
【００５６】
まず、静脈センサーは、利用者の静脈画像を取得する（ステップＳ５０）。次に、特徴抽出部２２は、取得した静脈画像の特徴量を抽出して静脈パターンを取得する処理を行う（ステップＳ５２）。
【００５７】
次に、識別部２４は、取得された静脈パターンと、図３に示すような登録された照合用の静脈パターンとを照合し（ステップＳ５４）、登録された静脈パターンのうち、取得された静脈パターンと一致するものがあるか否かを判断する（ステップＳ５６）。
【００５８】
ステップＳ５６において、一致すると判断された場合（ステップＳ５６：Ｙｅｓ）には、解除部２７は、操作許可情報を参照して（ステップＳ５８）、識別された利用者に許可された操作の操作許可フラグを０にする（ステップＳ６０）。一方、ステップＳ５６で一致しないと判断された場合（ステップＳ５６：Ｎｏ）には、解除処理を終了する。
【００５９】
次に、解除部２７は、他の識別済みの利用者に許可された操作の操作許可フラグを１にする。
【００６０】
例えば、図６（Ｂ）に示す場合において、取得された静脈パターンが利用者ＩＤ「１」の静脈パターンと一致した場合（ステップＳ５６：Ｙｅｓ）には、識別された利用者ＩＤの情報として保持されている利用者ＩＤ「１」を削除し、当該利用者ＩＤ「１」に許可された全ての操作の操作許可フラグを「０」にする。このとき、識別済みの利用者ＩＤとして、利用者ＩＤ「３」が残っているため、当該利用者ＩＤ「３」に許可された「アクセル操作」と「ユーザ登録」の操作許可フラグを「１」にする。その結果、識別された利用者ＩＤの情報と操作許可フラグは、図６（Ａ）に示す状態となる。このように、運転者である利用者が自動車を離れ、子供等の利用者が車内にとどまるような場合であっても、運転者である利用者が生体認証を行って解除操作を行うことで、子供等の利用者に許可された操作のみを操作可能な状態にして、運転操作等の他の操作については操作可能な状態を解除することができ、安全性を担保することができる。
【００６１】
３．変形例
本発明の技術範囲は上記実施形態に限定されるものではなく、本発明の趣旨を逸脱しない範囲で適宜変更を加えることができる。
【００６２】
例えば、前記実施形態では、生体認証装置１に備わる記憶部３０に照合用の生体情報と操作許可情報とを記憶する場合を例にとり説明したが、本発明はこれに限定されるものではない。例えば、利用者が携帯可能なＩＣカード等の情報記憶媒体に、照合用の生体情報と操作許可情報とを記憶しておき、識別部２４が、利用者が携帯する前記情報記憶媒体から送信された照合用の生体情報と生体情報取得部１０により取得された生体情報とを照合することで利用者を識別し、操作許可部２６が、前記情報記憶媒体から送信された操作許可情報を参照して、識別された利用者に許可する車両の操作を操作可能な状態にしてもよい。
【００６３】
また、前記実施形態では、識別時にドアロック機構４０に制御信号を送信してドアロックを解除させる場合について説明したが、本発明はこれに限定されるものではなく、識別後、利用者によってドアロックを解除する操作が行われた場合に、ドアロック機構４０に制御信号を送信してもよい。
【００６４】
また、前記実施形態では、自動車用の生体認証装置として説明したが、自動車に限らず、他の車両用の生体認証装置でもよい。例えば、自動二輪車、船舶、飛行機、ヘリコプター等に用いる生体認証装置でもよい。
【符号の説明】
【００６５】
１  生体認証装置、１０  生体情報取得部、２０  処理部、２２  特徴抽出部、２４  識別部、２６  操作許可部、２７  解除部、２８  登録部、３０  記憶部、４０  ドアロック機構、４２  エンジン制御装置
【図１】
2012153246.tif 000003
【図２】
2012153246.tif 000004
【図３】
2012153246.tif 000005
【図４】
2012153246.tif 000006
【図５】
2012153246.tif 000007
【図６】
2012153246.tif 000008
【図７】
2012153246.tif 000009
【図８】
2012153246.tif 000010